(57)【要約】【課題】植物を根付きの状態で簡易に底面給水可能として植物の生鮮状態を長持ちさせながら、容器を倒したり、傾けたりしても水漏れが生じず、切り花的形態での販売にも使用可能な固形培地付き植栽容器を提供する。【解決手段】下方に凸な円錐形状の固形培地１と、固形培地１の円錐軸を鉛直方向とした立位状態で収容する培地容器２とを備えた固形培地付き植栽容器５であって、固形培地１と培地容器２の台座部２ｂとの間に通水孔２ｃを通って連続して設けられ、台座部２ｂから固形培地１へ底面給水を可能とする給水体３を備えている。【選択図】図１
2009247313.tif 000002
【特許請求の範囲】
【請求項１】
下方に凸な円錐または角錐形状の固形培地と、前記固形培地の円錐または角錐軸を鉛直方向とした状態で収容する培地容器とを備えた固形培地付き植栽容器であって、
前記培地容器は、前記固形培地の下方の円錐または角錐形状部分を受け、その形状に沿った形状の受け部と、この受け部を前記円錐または角錐軸を鉛直方向として立位支持するように該受け部の下方に設けられた台座部とを備え、
前記受け部と前記台座部とを貫通する通水孔、この通水孔を通して前記固形培地と前記台座部との間に連続して設けられ、台座部側から該固形培地へ底面給水を可能とする給水体を設けことを特徴とする固形培地付き植栽容器。
【請求項２】
給水体は台座部から更に下方に伸び出し得るものとなっており、固形培地の下端と受け部または台座部との間に収容空間があり、給水に用いない場合は、給水体の全体が前記収容空間に収容されるようになっていることを特徴とする請求項１記載の固形培地付き植栽容器。
【請求項３】
給水体は、台座部から下方には突出しないように設けられていることを特徴とする請求項１記載の固形培地付き植栽容器。
【請求項４】
請求項１から３のいずれか記載の植栽容器と植物とを備えた植栽容器付き植物であって、固形培地に前記植物が植栽されていることを特徴とする植栽容器付き植物。
【発明の詳細な説明】
【技術分野】
【０００１】
本発明は、固形培地を収容して机上などに置くことのでき、この固形培地に底面給水可能とした固形培地付き植栽容器、及び、この植栽容器に植物を植栽した植栽容器付き植物に関する。
【背景技術】
【０００２】
固形培地を収容して机上に置くことができるようし、底面給水できるようにした固形培地付き植栽容器については、特許文献１、２に記載されたものが知られている。
【０００３】
しかし、いずれの植栽容器においても、水を培地容器内に収容して、その培地容器内の水を給水材あるいは水分吸収部材で固形培地に底面給水するもので、植栽容器が倒れた場合には、中の水がこぼれ出して、机上の物（コンピュータのキーボードや、重要書類など）を濡らせたりして、場合によっては、使用不可として、重大な損害を与えるものであった。
【０００４】
また、これらの植栽容器に各種の花や観葉植物を植栽して、容器ごと販売等する場合にも、傾けた際には、水が漏れ出して、望ましくない状況を引き起こすことが考えられる。したがって、これらの植栽容器は、植物を植栽したまま販売するには適さないものであった。
【０００５】
一方、根のない切り花（生花）の場合には、保水性体で茎の切断部分を覆って、切り花の寿命（萎れない期間）を長くすることもできるが、それにも限度があり、また、この方法は、そのまま植物を生育させるには適していなかった。
【特許文献１】特開２００７−６７２９号公報（図１）
【特許文献２】特表２００６−５０２７３０号公報（図１）
【発明の開示】
【発明が解決しようとする課題】
【０００６】
本発明は、上記問題を解決しようとするもので、植物を根付きの状態で簡易に底面給水可能として植物の生鮮状態を長持ちさせながら、容器を倒したり、傾けたりしても水漏れが生じず、切り花的形態での販売にも使用可能な固形培地付き植栽容器、この容器を活用した植栽容器付き植物を提供することを目的としている。
【課題を解決するための手段】
【０００７】
請求項１記載の固形培地付き植栽容器は、下方に凸な円錐または角錐形状の固形培地と、前記固形培地の円錐または角錐軸を鉛直方向とした状態で収容する培地容器とを備えた固形培地付き植栽容器であって、前記培地容器は、前記固形培地の下方の円錐または角錐形状部分を受け、その形状に沿った形状の受け部と、この受け部を前記円錐または角錐軸を鉛直方向として立位支持するように該受け部の下方に設けられた台座部とを備え、
前記受け部と前記台座部とを貫通する通水孔、この通水孔を通して前記固形培地と前記台座部との間に連続して設けられ、台座部側から該固形培地へ底面給水を可能とする給水体を設けことを特徴とする。
【０００８】
請求項２記載の固形培地付き植栽容器は、請求項１に従属し、給水体は台座部から更に下方に伸び出し得るものとなっており、固形培地の下端と受け部または台座部との間に収容空間があり、給水に用いない場合は、給水体の全体が前記収容空間に収容されるようになっていることを特徴とする。
【０００９】
請求項３記載の固形培地付き植栽容器は、請求項１に従属し、給水体は、台座部から下方には突出しないように設けられていることを特徴とする。
【００１０】
請求項４記載の植栽容器付き植物は、請求項１から３のいずれか記載の植栽容器と植物とを備えた植栽容器付き植物であって、固形培地に前記植物が植栽されていることを特徴とする。
【発明の効果】
【００１１】
請求項１記載の固形培地付き植栽容器によれば、下方に凸な円錐または角錐形状の固形培地と、前記固形培地の円錐または角錐軸を鉛直方向とした状態で収容する培地容器とを備えた固形培地付き植栽容器であって、前記培地容器は、前記固形培地の下方の円錐または角錐形状部分を受け、その形状に沿った形状の受け部と、この受け部を前記円錐または角錐軸を鉛直方向として支持するように該受け部の下方に設けられた台座部とを備え、
更に、前記固形培地と前記台座部との間に連続して設けられ、台座部側から該固形培地へ底面給水を可能とする給水体を備えているので、底面給水時には、別体の水容器等を使って給水体を用いて給水し、給水終了後には、水とを縁を切ることができ、植物を根付きの状態で簡易に底面給水可能として植物の生鮮状態を長持ちさせながら、容器を倒したり、傾けたりしても水漏れが生じず、切り花的形態での販売にも使用可能となる。
【００１２】
請求項２記載の固形培地付き植栽容器によれば、請求項１の効果に加え、給水体は台座部から更に下方に伸び出し得るものとなっており、固形培地の下端と受け部または台座部との間に収容空間があり、給水に用いない場合は、給水体の全体が前記収容空間に収容されるようになっているので、給水後に給水体の伸び出し部分が、美観を損なうことがなく、あるいは、植栽容器を机等の上に置くときの支障とならない。
【００１３】
請求項３記載の固形培地付き植栽容器は、請求項１の効果に加え、給水体は、台座部から下方には突出しないように設けられているので、給水後の給水体のもどし作業が不要になる。
【００１４】
請求項４記載の植栽容器付き植物は、請求項１から３のいずれか記載の植栽容器と植物とを備えた植栽容器付き植物であって、固形培地に前記植物が植栽されているので、上記植栽容器の効果を植栽容器付き植物として発揮する。
【発明を実施するための最良の形態】
【００１５】
以下に、本発明の実施の形態（実施例）について、図面を用いて説明する。
【実施形態１】
【００１６】
図１（ａ）は、本発明の植栽容器付き植物の一例の使用状態を示す縦断面図、（ｂ）は、（ａ）を切り花的態様で販売する状態を示す外観斜視図である。
【００１７】
この植栽容器付き植物１０は、下方に凸な円錐形状の固形培地１及び固形培地１の円錐軸を鉛直方向とした状態で収容する培地容器２を備えた固形培地付き植栽容器５と、この固形培地１に植栽された植物７Ａ（この例では、ケイトウの一種）とを備え、図１（ｂ）の状態で販売され、図２に示すような方法で底面給水され、図３（ａ）に示すような状態で使用されるものである。
【００１８】
培地容器２は、固形培地の下方の円錐形状部分を受け、その形状に沿った形状の受け部２ａと、この受け部２ｂを前記円錐軸を鉛直方向として支持するように該受け部２ａの下方に設けられた台座部２ｂとを備えている。
【００１９】
固形培地付き植栽容器５は、更に、固形培地１と台座部２ｂとの間に連続して設けられ、台座部２ｂ側から該固形培地１へ底面給水を可能とする給水体３を備えていることを特徴とする。受け部２ａと台座部２ｂとを連結する部分には、給水体３を通過させる給水体用孔２ｃが設けられている。
【００２０】
固形培地１は、ピートモスまたはあるいはかつパーライトを主体とする粉状体と、この粉状体を保持し、かつ全体の形状を保持する繊維体とからなる多孔質体であって、給水体３からの水を吸い上げる吸水性と、給水した水を保持する保水性とを備え、植栽された植物の根の生育を阻害せず、また、保水した状態でもその形状を余り変化させず、かつ、保水した水を漏れ出させないものである。
【００２１】
培地容器２は、合成樹脂を素材として一体成形されたもので、無色透明か、有色透明か、有色半透明か、有色不透明ののもののいずれであってもよい。このように合成樹脂で一体成形すると軽量で安価な物とすることが出来、培地容器２を植栽した植物と共に販売する場合でも、コストを上昇させることが少ない。
【００２２】
給水体３は、不織布や、繊維状物など、毛細管現象により水を吸水し、一方端から他方端へ水を吸水できるものであれば良い。また、その形状は、この例のように帯状であってもよく、図７に示すような棒状であってもよい。
【００２３】
なお、図１（ｂ）に示す符号８は、販売時に、固形培土１と培地容器２の受け部２ａとの間に植栽された植物７Ａを保護すべく挟み込まれた植物保護覆いである。この植物保護覆い８は、紙やセロファンや、透明あるいは半透明、不透明の合成樹脂フィルムを用いると良い。
【００２４】
この植物保護覆い８は、図３でも解るように、使用時には取り外されるものではあるが、運搬・販売時は、このように固形培地と培地容器２との間に介装されて、覆い８端部をセロテープで止めたりする必要性が少なく、植栽された植物を確実に保護でき、販売時にはそのままで顧客に渡すこともできるものであり、更に外側に包装紙を不要として省資源ともなる。
【００２５】
この植栽容器付き植物１０に底面給水する場合には、図１（ａ）に示すように、水Ｗを溜めた皿様の水容器Ｔ１に、その吸水体３の台座部２より伸び出している部分が漬かるように、培地容器５を置けばよい（図１（ａ）の符号３（Ｖ）の状態）。
【００２６】
底面給水が完了した植栽容器付き植物１０を販売する場合には、図１（ａ）に符号３（Ｓ）に示すように、固形培地１の下端と受け部２ａまたは台座部３ｂとの間に生じる収容空間Ｓに折り畳んで収納し、図１（ｂ）の状態の切り花的態様で販売することができる。
【００２７】
図２は、図１の植栽容器付き植物に底面給水している状態を示す外観斜視図である。なお、これより既に説明した部分と同じ部分については、同じ符号を付して重複説明を省略する。
【００２８】
植栽容器付き植物１０の固形培地１への底面給水は、この図２に示すように、コップ様の水容器Ｔ２を用いて行ってもよい。その場合、受け部２ａが上方に外面が大きくなく円錐形状なので、コップ開口部分の内径が大小しても対応することができる。
【００２９】
このようにコップ様水容器Ｔ２を用いる場合、そのコップ口径により培地容器５の高さが上下するので、給水体３の伸び出し長さを長くしておく方が、コップ内の水の底まで給水体３の一端が到達し、より長時間給水状態を維持することができる。
【００３０】
また、この水容器Ｔ２は、図から解るように水容器Ｔ２の上部は受け部２ｂの外周で密着しており、コップ様の内周は、培地容器２の台座部２ｂの外周と隙間無く接触するようになっている。
【００３１】
図３（ａ）は、図１の植栽容器付き植物の使用状態を例示する外観斜視図、（ｂ）は、（ａ）の状態で植栽容器付き植物が倒れた状態を示す外観斜視図である。
【００３２】
図３（ａ）は、机ＴＢの上に、コンピュータのキーボードＫＢと、書類Ｐとが置かれた状態で、これらのキーボードＫＢと書類Ｐの傍に、植栽容器付き植物１０が置かれている状態を示す。コンピュータで作業をする際には、自然物である植物１０が傍にあると雰囲気を和らげ、気分を落ち着け解放し、また、目にとっても疲れを癒すものである。
【００３３】
しかしながら、花瓶入りの生け花を置く場合、特許文献１、２に記載の植栽容器を用いた植物を置く場合は、なにかの理由で、花瓶や植栽容器を倒した際には、水が漏れ出し、キーボードＫＢを破損させたり、重要書類Ｐを濡れさせて使用できなくなったりする。
【００３４】
しかしながら、本発明の植栽容器付き植物１０の場合には、水との縁が切れているので、図３（ｂ）に示すように、たとえ、培土容器２が倒れたとしても、水の漏れ出しもなく、また、固形培地１の粉状体の散乱もなく、キーボードＫＢや書類Ｐに悪影響を与えることがない。
【００３５】
また、この植栽容器付き植物１０では、台座部２ｂが立位で机の上などに置くことができるようになっているので、そのまま、根付き植物７Ａを簡易に設置し、鑑賞することができる。
【００３６】
底面給水をする場合には、図１（ａ）や図２に示すように、水容器Ｔ１、Ｔ２の水に給水体３の一端が漬かるようにすれば良いので簡易である。また、給水体３の伸び出し部分が長い場合で、それが机ＴＢ等の上に置いた場合に美観上、あるいは、伸び出し部分の水分が問題となる場合には、図１（ａ）の符号３（Ｓ）のように収容空間Ｓに収容するようにすればよい。
【００３７】
こうして、本発明の植栽容器付き植物１０（固形培地付き植栽容器５を含む。）によれば、植物を根付きの状態で簡易に底面給水可能として植物の生鮮状態を長持ちさせながら、容器を倒したり、傾けたりしても水漏れが生じず、切り花的形態での販売にも使用可能となる。
【００３８】
また、固形培地１は保水性を持ち、植物は根付きなので、長期間新鮮な状態を保つ、つまり、給水せずとも萎れるまでの時間を長くすることができる。よって、パーテイ会場でのテーブル上での飾りや、お葬式での供花としても、利用価値が高い。この際、給水を繰り返すことで、繰り返し利用もより多く可能となる。
【００３９】
加えて、固形培地１の可能な限り、そのままの状態で植物を生育させることもでき、その後は、場合によっては、普通の土壌にそのまま移植することができる。
【００４０】
また、固形培地１は、基本的に自然の土壌を含まないので、雑菌や病原菌の少ないあるいはほとんどない状態とすることができ、衛生的条件の厳しい病院などへのお見舞いとしても好適である。
【実施形態２】
【００４１】
図４は、本発明の植栽容器付き植物の他例に底面給水している状態を示す外観斜視図、図５は、本発明の植栽容器付き植物の他例を販売している状態を示す外観斜視図である。
【００４２】
図４に示す植栽容器付き植物１０Ａは、図１の植栽容器付き植物１０に比べ、固形培地付き植栽容器５は同じで、植栽されているのが植物７Ｂ（この例では、カーネーション）である点と、母の日のプレゼント用であって、各固形培地１には、ハートマークの中に、例えば、「おかあさんありがとう」などと表示した表示板Ｄを設置してある点が異なっている。
【００４３】
また、この場合、底面給水のための水容器Ｔ３として、植栽容器５を複数配列して給水させることのできる大きな面積のものを用いている。本発明の植栽容器５は、台座部２ｂを有しているので、このような底面給水も可能である。
【００４４】
また、このような贈答用としても、鉢物に比べて、簡易に底面給水が可能で、水と縁を切った後には、倒れによる水漏れの恐れのない本発明の植栽容器付き植物１０Ａは、好適である。
【００４５】
図５は、本発明の植栽容器付き植物の他例を販売している状態を示す外観斜視図である。この植栽容器付き植物１０Ｂは、図４のものに比べ、底面給水用のコップ様の水容器Ｔ２を運搬、運搬後の店頭表示時まで使用するようにしたものである。
【００４６】
そのため、各植栽容器付き植物１０Ｂは、中に水の入った水容器Ｔ２に収容された状態で、各水容器Ｔ２をそれぞれ倒れず、隙間の無いように嵌め入れる収容孔に嵌め入れた状態で、運搬表示用ケースＫに配置収容されている。
【００４７】
このような場合、この姿勢のままで運搬されるので、各水容器Ｔ２と各植栽容器付き植物１０Ｂとの間から水が漏れることがなく、特に、両者は、図１（ｂ）に示すように双方とも円形形状で培地容器２の円錐部分が、水容器Ｔ２の円形開口部分を塞ぎ、更に、台座部２ｂも図２で説明したように水容器Ｔ２の内周に隙間なく接しているので、なおさら、水漏れの可能性が少なくなる。
【００４８】
この水容器Ｔ２は、本発明の固形培地付き植栽容器５、あるいは、各植栽容器付き植物１０〜１０Ｂと一緒にいて、販売した後も顧客に渡すようにしてもよい。その際、必要ならば、給水を済ませた後に、水容器Ｔ２の水を排除した後にセットで販売するようにすればよい。購入者は、必要に応じてこの水容器Ｔ２で給水したり、水容器Ｔ２と分離して、水の縁を切って、卓上や机の上に置き、植物を楽しむことができる。
【実施形態３】
【００４９】
図６（ａ）、（ｂ）は、本発明の植栽容器付き植物の他例を示す図である。これらの植栽容器付き植物１０Ｃ、１０Ｄは、図１の植栽容器付き植物１０に比べて、給水体３Ａ、３Ｂとして帯状のものではなく、棒状のものを用いている点と、この給水体３Ａが台座部２ｂから下方には突出しないように設けられている点が異なっている。
【００５０】
このようにすると、給水する際には、給水体３Ａの台座部２ｂにまで水が達するように水に漬け、給水が済んだ後には、そのまま、机の上に置くことができるので、便利である。
【００５１】
なお、これらに用いられる固形培地１Ａは、、この棒状の給水体３Ａを一定深さ填まり込ませ得るような凹部１ａを備えている。そして、棒状の給水体３Ａをこの凹部１ａに対して、固形培地１Ａとの接触を保持できる範囲で出し入れして、給水体３Ａを台座部２ｂから伸び出させるようにして給水させることもできる。その場合、棒状の給水体３Ａは、給水終了後は単に押し込むだけでよいので、収納操作が容易になる。
【００５２】
図６（ｂ）の植栽容器付き植物１０Ｄは、図６（ａ）の植栽容器付き植物１０Ｃに比べて、培地容器２Ａが、受け部２ａと台座部２ｂとを中に給水体用孔２ｃを確保しながら連結する筒部２ｄが設けられている点が異なっている。
【００５３】
このような植栽容器付き植物１０Ｄによれば、この筒部２ｄの分だけ、給水体３Ｂも長くなるので、より高い水位から低い水位まで対応することができるという追加の効果を発揮することができる。
【実施形態４】
【００５４】
図７（ａ）、（ｂ）は、本発明の植栽容器付き植物の他例を示す図である。図７（ａ）の植栽容器付き植物１０Ｅは、図１の植栽容器付き植物１０に比べ、給水体３Ｃが、帯状ではなく、固形培地１と培地容器２の受け部２ａとの間の収容空間Ｓに全体的に充填されるようになっている点が異なっている。
【００５５】
このような構成の植栽容器付き植物１０Ｅによれば、図１（ａ）あるいは図４のように台座部２ｂから上に水位が来るように水容器Ｔ１、Ｔ３に置けば、あるいは、コップ状の水容器Ｔ２の場合も水の量を増やせば、通水孔２ｃを介して給水体３Ｃに給水可能で、固形培地１に底面給水させることができる。
【００５６】
図７（ｂ）の直裁容器付き植物１０Ｆは、図１の植栽容器付き植物１０に比べ、固形培地１Ｂそのものが、収容空間Ｓを埋めるように培地容器２の受け部２ａの底端の通水孔２ｃまで達するようにした点が異なっている。
【００５７】
このような構成の植栽容器付き植物１０Ｆによれば、図１（ａ）あるいは図４のように台座部２ｂから上に水位が来るように水容器Ｔ１、Ｔ３に置けば、あるいは、コップ状の水容器Ｔ２の場合も水の量を増やせば、固形培地１Ｂも吸水性を備えているので、通水孔２ｃを介して底面給水させることができる。
【００５８】
上述の実施形態４は、下方に凸な円錐または角錐形状の固形培地と、前記固形培地の円錐または角錐軸を鉛直方向とした状態で収容する培地容器とを備えた固形培地付き植栽容器であって、前記培地容器は、前記固形培地の下方の円錐または角錐形状部分を受け、その形状に沿った形状の受け部と、この受け部を前記円錐または角錐軸を鉛直方向として立位支持するように該受け部の下方に設けられた台座部とを備え、
前記受け部と前記台座部とを貫通する通水孔を設け、前記受け部の外周面または前記台座部を水容器に配置することにより、立位状態で該通水孔により前記固形培地に底面給水可能としたものである。
【００５９】
そして、このように構成することで、本発明の固形培地付き植栽容器は、必要な際には固形培地に立位で底面給水可能とし、その後には、水との縁を切り、机の上等で使用する際に倒れても、水漏れや固形培地の散乱がないという格別の効果を発揮し、かつ、そもそもの保水性と植物成育保持性のある固形培地の特性を発揮して、植物の生鮮状態をより長期間保持することが出来る。
【００６０】
また、この実施形態４のは、コップ状の水容器２と共に用いる場合には、台座部２ｂを越えた水位とする必要があるが、その場合でも、水容器２の開口縁と培地容器２の受け部２ｂの外周との密接で運搬時などの水漏れを防ぐことができる。
【００６１】
また、上記の効果は、この固形培地付き植栽容器に植物を植栽した植栽容器付き植物としても発揮されるものである。
【００６２】
なお、本発明の固形培地付き植栽容器及び植栽容器付き植物は、上記の実施形態に限定されず、特許請求の範囲に記載された範囲、実施形態の範囲で、種々の変形例、組み合わせが可能である。
【００６３】
例えば、上記では、固形培地と培地容器とが円錐形状の場合を例示したが、これに限定されず、三角錐、四角錐、あるいは、それより多い多角錐形状であっても良い。また、植栽される植物の上記植物７Ａ、７Ｂに限定されるものではなく、あらゆる花卉などが含まれるものである。
【産業上の利用可能性】
【００６４】
本発明の固形培地付き植栽容器及びこの容器を活用した植栽容器付き植物、植物を根付きの状態で簡易に底面給水可能として植物の生鮮状態を長持ちさせながら、容器を倒したり、傾けたりしても水漏れが生じず、切り花的形態での販売にも使用可能なことが要請される産業分野に、例えば、机上やパーテイ会場のテーブルの装飾用、病院のお見舞い用、及び、葬儀の供花用に、用いることができる。
【図面の簡単な説明】
【００６５】
【図１】（ａ）は、本発明の植栽容器付き植物の一例の使用状態を示す縦断面図、（ｂ）は、（ａ）を切り花的態様で販売する状態を示す外観斜視図
【図２】図１の植栽容器付き植物に底面給水している状態を示す外観斜視図
【図３】（ａ）は、図１の植栽容器付き植物の使用状態を例示する外観斜視図、（ｂ）は、（ａ）の状態で植栽容器付き植物が倒れた状態を示す外観斜視図
【図４】本発明の植栽容器付き植物の他例に底面給水している状態を示す外観斜視図
【図５】本発明の植栽容器付き植物の他例を販売している状態を示す外観斜視図
【図６】（ａ）、（ｂ）は、本発明の植栽容器付き植物の他例を示す図
【図７】（ａ）、（ｂ）は、本発明の植栽容器付き植物の他例を示す図
【符号の説明】
【００６６】
１〜１Ｂ        固形培地
２、２Ａ        培地容器
２ａ      受け部
２ｂ      台座部
２ｃ      通水孔
２ｄ      筒部
３〜３Ｃ        給水体
５〜５Ｄ        固形培地付き植栽容器
７Ａ      植物
７Ｂ      植物
８        植物保護覆い
１０〜１０Ｆ        植栽容器付き植物
Ｓ        収容空間
Ｔ１〜Ｔ３      水容器
【図１】
2009247313.tif 000003
【図２】
2009247313.tif 000004
【図３】
2009247313.tif 000005
【図４】
2009247313.tif 000006
【図５】
2009247313.tif 000007
【図６】
2009247313.tif 000008
【図７】
2009247313.tif 000009